(57)【要約】【課題】  防水、防塵、及び絶縁機能を備えた保護カバーを有する端子コネクタを提供する。【解決手段】  本体１０と該本体１０の上面開口１０ａを覆う保護カバー２０を有し、該本体１０の内部を所定の間隔で離間するように複数の仕切りプレート１２を設けることにより複数の接続ゾーンが形成され、各接続ゾーンの内部に押圧プレート１３と固定螺子１４が設けられる保護カバーを有する端子コネクタであって、前記本体１０の両側壁１５の後部上方には枢設孔１７を有し、且つ断面がＵ字形状の枢設部１６が設けられ、前記保護カバー２０の両側後部側に前記枢設孔１７と対応する縦断面が軸方向に対し傾斜する楕円形状の枢軸２１が設けられ、枢軸２１を介して前記保護カバー２０が開閉可能となっていることを特徴とする。【選択図】図１
0003108351.tif 000002
【実用新案登録請求の範囲】
【請求項１】
本体と該本体の上面開口を覆う保護カバーを有し、該本体の内部を所定の間隔で離間するように複数の仕切りプレートを設けることにより複数の接続ゾーンが形成され、各接続ゾーンの内部に押圧プレートと固定螺子が設けられる保護カバーを有する端子コネクタであって、前記本体の両側壁の後部上方には枢設孔を有し、且つ断面がＵ字形状の枢設部が設けられ、前記保護カバーの両側後部側に前記枢設孔と対応する縦断面が軸方向に対し傾斜する楕円形状の枢軸が設けられ、枢軸を介して前記保護カバーが開閉可能となっていることを特徴とする保護カバーを有する端子コネクタ。
【請求項２】
前記本体の両側壁の上側に係合フックが設けられ、前記保護カバーの両側に該係合フックと対応する係合凹部が形成されることを特徴とする請求項１に記載の保護カバーを有する端子コネクタ。
【請求項３】
前記本体の両側壁の上側に係合孔を有する係合部が設けられ、前記保護カバーの両側壁に該係合孔と対応する係合ブロックが設けられることを特徴とする請求項１に記載の保護カバーを有する端子コネクタ。
【考案の詳細な説明】
【技術分野】
【０００１】
本考案は、特に、防水、防塵、及び絶縁の機能性を備えた保護カバーを有する端子コネクタに関するものである。
【背景技術】
【０００２】
電気製品又は機械に用いられる従来の端子コネクタは、端子コネクタ本体の上面に接続ゾーンが形成されると共に、下面に接続ピンが設けられ、前記接続ゾーンに対応する本体の上側に開閉自在の保護カバーが設けられることにより、本体の内部に設けられる端子を保護する。
【考案の開示】
【考案が解決しようとする課題】
【０００３】
しかしながら、前記端子コネクタの保護カバーと本体では、本体における壁と仕切りプレートは異なる肉厚を有するので、製造コストが高くなり、更に、保護カバーと本体の組合せも大変面倒である。
そこで、案出されたのが本考案であって、製造コストが安価な保護カバーを有する端子コネクタを提供することを目的としている。
【課題を解決するための手段】
【０００４】
本願の請求項１の保護カバーを有する端子コネクタは、本体１０と該本体１０の上面開口１０ａを覆う保護カバー２０を有し、該本体１０の内部を所定の間隔で離間するように複数の仕切りプレート１２を設けることにより複数の接続ゾーンが形成され、各接続ゾーンの内部に押圧プレート１３と固定螺子１４が設けられる保護カバーを有する端子コネクタであって、前記本体１０の両側壁１５の後部上方には枢設孔１７を有し、且つ断面がＵ字形状の枢設部１６が設けられ、前記保護カバー２０の両側後部側に前記枢設孔１７と対応する縦断面が軸方向に対し傾斜する楕円形状の枢軸２１が設けられ、枢軸２１を介して前記保護カバー２０が開閉可能となっていることを特徴とする。
【０００５】
本願の請求項２の考案は、請求項１の保護カバーを有する端子コネクタにおいて、前記本体の両側壁の上側に係合フックが設けられ、前記保護カバーの両側に該係合フックと対応する係合凹部が形成されることを特徴とする。
本願の請求項３の考案は、請求項１の保護カバーを有する端子コネクタにおいて、前記本体の両側壁の上側に係合孔を有する係合部が設けられ、前記保護カバーの両側に該係合孔と対応する係合ブロックが設けられることを特徴とする。
【考案の効果】
【０００６】
本考案は上記の課題を解決するものであり、本体の側壁の後部上方に枢設孔を有し、且つ断面がＵ字形状の枢設部が設けられ、保護カバーの両側面に枢設孔と対応する縦断面が軸方向に対して傾斜する楕円形上の枢軸が設けられることにより、端子コネクタの防水、防塵、及び絶縁効果を向上することができる。
【考案を実施するための最良の形態】
【０００７】
以下、添付図面を参照して本考案の好適な実施の形態を詳細に説明する。
尚、下記実施例は、本考案の好適な実施の形態を示したものにすぎず、本考案の技術的範囲は、下記実施例そのものに何ら限定されるものではない。
【０００８】
添付図面において、図１は本考案に係る保護カバーを有する端子コネクタの第１実施例を示す斜視図であり、図２は本考案に係る保護カバーを有する端子コネクタの第１実施例の保護カバーを閉じる状態を示す側面図であり、図３は本考案に係る保護カバーを有する端子コネクタの第１実施例の保護カバーを開けた状態を示す側面図である。また、図４は本考案に係る保護カバーを有する端子コネクタの第２実施例を示す分解斜視図であり、図５は本考案に係る保護カバーを有する端子コネクタの第３実施例を示す分解斜視図であり、図６は本考案に係る保護カバーを有する端子コネクタの第４実施例を示す分解斜視図であり、図７は本考案に係る保護カバーを有する端子コネクタの第５実施例を示す分解斜視図であり、図８は本考案に係る保護カバーを有する端子コネクタの第６実施例を示す分解斜視図であり、図９は本考案に係る保護カバーを有する端子コネクタの第６実施例を示す部分断面図であり、図１０は本考案に係る保護カバーを有する端子コネクタの第７実施例を示す分解斜視図であり、図１１は本考案に係る保護カバーを有する端子コネクタの第７実施例を示す部分断面図である。
【実施例１】
【０００９】
図１及び図２に示すように、本考案に係わる保護カバーを有する端子コネクタの第１実施例は、端子コネクタ本体（以下本体という）１０と該本体１０の上面に設けられる保護カバー２０とを有し、該本体１０の内部の長手方向を所定の間隔で離間して配設された複数の仕切りプレート１１を設けることにより複数の接続ゾーン１２が形成され、各接続ゾーン１２の内部にそれぞれ押圧プレート１３と固定螺子１４が設けられ、本体１０の両側に壁１５が設けられ、該壁１５の後上方に、枢設孔１７を有しかつ断面がＵ字形状の枢設部１６が設けられており、前記保護カバー２０の両側後部側を切り込んで形成した切り込み部２０ａに前記枢設孔１７と対応する縦断面が軸方向に傾斜する楕円形状となる枢軸２１が突設されている。また、前記保護カバー２０には前記各接続ゾ−ンに対応する円形状の開口２０ｂがそれぞれ形成されている。また、前記本体１０の上部開口１０ａを覆う前記保護カバー２０の全体形状は、前端部が下方に僅かに湾曲して形成され、前記本体１０に設けられた押圧プレート１３と固定螺子１４に接続されるワイヤが通過するための隙間が出来る状態の大きさの形状である。
【００１０】
図２に示すように、本考案に係わる保護カバーを有する端子コネクタを組み立て使用する場合、枢軸２１を枢設孔１７に枢設すると共に、保護カバー２０を前記枢軸２１を支点にして回動し本体開孔部１０ａを覆ってカバーする。
この時、前記楕円形状の枢軸２１が枢設孔１７に位置決めされるので、本体１０の上部が完全に開口するものと異なり、かなりの確立で、防水、防塵、及び絶縁効果を達成することができ、又、外力より衝撃を受けても保護カバー２０が本体１０から容易に外れることがない。
【００１１】
又、図３に示すように、本体１０の各接続ゾーン１２の内部にそれぞれ配設された押圧プレート１３と固定螺子１４に接続するワイヤ、或いはこれらのメンテナンスを行う場合には、前記保護カバー２０を本体１０から開けて行うことができる。
【実施例２】
【００１２】
図４に示すように、本考案に係わる保護カバーを有する端子コネクタの第２実施例は前記第１実施例と殆ど等しく、異なるのは、前記本体１０の両側における壁１５の上側に係合フック１５１が突設されると共に、前記保護カバー２０の両側に該係合フック１５１と対応する係合凹部２２が形成され、該係合フック１５１と係合凹部２２の組合せで本体１０と閉じた保護カバー２０の結合効果を向上できるようにしたものである。
【実施例３】
【００１３】
図５に示すように、本考案に係わる保護カバーを有する端子コネクタの第３実施例は前記第２実施例と殆ど等しく、異なるのは、第３実施例の本体１０における仕切りプレート１１の厚さが第２実施例における仕切りプレート１１の厚さより薄いことにより、製造コストを安価にすることができる。
【実施例４】
【００１４】
図６に示すように、本考案に係わる保護カバーを有する端子コネクタの第４実施例は前記第３実施例と殆ど等しく、異なるのは、第４実施例の本体１０における仕切りプレート１１の厚さは第３実施例における仕切りプレート１１の厚さより薄いことにより、製造コストを更に安価にすることができる。
【実施例５】
【００１５】
又、図７に示すように、本考案に係わる保護カバーを有する端子コネクタの第５実施例は前記第３実施例と殆ど等しく、異なるのは、本体１０の壁１５及び係合フック１５１の外側に縦向溝１５２を形成することにより、製造コストをさらに安価にすることができる。
【実施例６】
【００１６】
図８及び図９に示すように、本考案に係わる保護カバーを有する端子コネクタの第６実施例は前記第２実施例と殆ど等しく、異なるのは、本体１０の壁１５の上側に係合孔１５４を有する係合部１５３が設けられると共に、保護カバー２０の両側に該係合孔１５４と対応する係合ブロック２３が設けられ、該係合孔１５４と係合ブロック２３の組合せで本体１０と閉じた保護カバー２０の結合効果を向上するようにしたものである。
【実施例７】
【００１７】
図１０及び図１１に示すように、本考案に係わる保護カバーを有する端子コネクタの第７実施例は前記第６実施例と殆ど等しく、異なるのは、本体１０の壁１５の外側に縦向溝１５２が形成されることにより、製造コストを安価にすることができる。
【産業上の利用可能性】
【００１８】
本考案は上記の構成を有するので、本体の壁の後上方に枢設孔を有し、且つ断面がＵ字形の枢設部が設けられ、保護カバーの両側に枢設孔と対応する縦断面が傾斜する楕円形状である枢軸が設けられることにより、端子コネクタの防水、防塵及び絶縁効果を向上することができる。
【図面の簡単な説明】
【００１９】
【図１】本考案に係る保護カバーを有する端子コネクタの第１実施例を示す全体斜視図である。
【図２】本考案に係る保護カバーを有する端子コネクタの第１実施例の保護カバーを閉じた状態を示す側面図である。
【図３】本考案に係る保護カバーを有する端子コネクタの第１実施例の保護カバーを開けた状態を示す側面図である。
【図４】本考案に係る保護カバーを有する端子コネクタの第２実施例を示す分解斜視図である。
【図５】本考案に係る保護カバーを有する端子コネクタの第３実施例を示す分解斜視図である。
【図６】本考案に係る保護カバーを有する端子コネクタの第４実施例を示す分解斜視図である。
【図７】本考案に係る保護カバーを有する端子コネクタの第５実施例を示す分解斜視図である。
【図８】本考案に係る保護カバーを有する端子コネクタの第６実施例を示す分解斜視図である。
【図９】本考案に係る保護カバーを有する端子コネクタの第６実施例を示す部分断面図である。
【図１０】本考案に係る保護カバーを有する端子コネクタの第７実施例を示す分解斜視図である。
【図１１】本考案に係る保護カバーを有する端子コネクタの第７実施例を示す部分断面図である。
【符号の説明】
【００２０】
１０        本体
１１        仕切りプレート
１２        接続ゾーン
１３        押圧プレート
１４        固定螺子
１５        壁
１５１      係合フック
１５２      縦向溝
１５３      係合部
１５４      係合孔
１６        枢設部
１７        枢設孔
２０        保護カバー
２１        枢軸
２２        係合凹部
２３        係合ブロック
【図１】
0003108351.tif 000003
【図２】
0003108351.tif 000004
【図３】
0003108351.tif 000005
【図４】
0003108351.tif 000006
【図５】
0003108351.tif 000007
【図６】
0003108351.tif 000008
【図７】
0003108351.tif 000009
【図８】
0003108351.tif 000010
【図９】
0003108351.tif 000011
【図１０】
0003108351.tif 000012
【図１１】
0003108351.tif 000013